(57)【特許請求の範囲】
【請求項１】
電気機器と、前記電気機器の電力供給系統に配設された電源ユニットと、前記電気機器を入力操作するためのリモコンと、前記電気機器及び前記電源ユニットを制御するための制御コントローラと、前記制御コントローラに設けられた主通信モジュールと、前記リモコンに設けられた第１副通信モジュールとを備えており、
前記制御コントローラには第１赤外線受信手段及び第１赤外線送信手段が設けられ、前記リモコンには第２赤外線送信手段が設けられ、また前記電気機器には第２赤外線受信手段が設けられており、
前記電源ユニットは、前記電力供給系統に流れる電流を検知する電流検知センサと、前記電力供給系統を通しての電力の供給、供給停止を行うためのスイッチ手段とを含んでおり、
前記リモコンの電源スイッチを入力操作すると、前記リモコンからの電源入力信号が前記第１副通信モジュール及び前記主通信モジュールを介して前記制御コントローラに送給されるとともに、前記リモコンからの赤外線電源入力信号が前記第２赤外線送信手段及び前記第１赤外線受信手段を介して前記制御コントローラに送給され、前記制御コントローラは、前記電源入力信号に基づいて前記電流検知センサにより前記電力供給系統に流れる電流を検知し、前記電流検知センサに作動電流が流れているときには待機信号を生成し、前記待機信号に基づいて前記赤外線電源入力信号を前記第１赤外線送信手段を介して前記第２赤外線受信手段に送給して前記電気機器を待機状態にし、前記電流検知センサに待機電流が流れているときには作動信号を生成し、前記作動信号に基づいて前記赤外線電源入力信号を前記第１赤外線送信手段を介して前記第２赤外線受信手段に送給して前記電気機器を作動状態にし、また前記電流検知センサに電流が流れていないときには接続信号を生成し、前記接続信号に基づいて前記スイッチ手段を閉状態にして前記電気機器への電力供給を行うことを特徴とする電気機器の待機電力削減システム。
【請求項２】
前記電気機器に関連して、人を検知する人感センサが設けられ、前記人感センサに第２副通信モジュールが設けられ、前記人感センサからの検知信号が前記第２副通信モジュール及び前記主通信モジュールを介して前記制御コントローラに送給され、前記制御コントローラは、前記電流検知センサに前記作動電流が流れている状態において前記人感センサにより人を検知しない状態が第１所定時間継続すると赤外線待機信号を生成し、前記赤外線待機信号を前記第１赤外線送信手段を介して前記第２赤外線受信手段に送給して前記電気機器を前記待機状態にし、また前記待機状態になった後前記人感センサにより人を検知しない状態が第２所定時間継続すると接続断信号を生成し、前記接続断信号に基づいて前記電源ユニットの前記スイッチ手段を開状態にして前記電気機器への電力供給を停止することを特徴とする請求項１に記載の電気機器の待機電力削減システム。
【請求項３】
前記制御コントローラは、前記電気機器の前記待機状態において所定待機時間継続して前記電源スイッチが入力操作されないときに接続断信号を生成し、前記接続断信号に基づいて前記電源ユニットの前記スイッチ手段を開状態にして前記電気機器への電力供給を停止することを特徴とする請求項１に記載の電気機器の待機電力削減システム。
【請求項４】
前記制御コントローラは、前記電気機器を制御するための第１制御コントローラと、前記電源ユニットを制御するための第２制御コントローラとを含み、前記主通信モジュールは、前記第１制御コントローラに設けられた第１主通信モジュールと、前記第２制御コントローラに設けられた第２主通信モジュールとを含み、前記第１制御コントローラと前記第２制御コントローラとが前記第１主通信モジュール及び前記第２主通信モジュールを介して通信接続されることを特徴とする請求項１〜３のいずれかに記載の電気機器の待機電力削減システム。
【発明の詳細な説明】
【技術分野】
【０００１】
本発明は、テレビ、エアコンなどの電気機器の待機電力を削減する待機電力削減システムに関する。
【背景技術】
【０００２】
テレビ、エアコンなどの電気機器の待機電力を削減する待機電力削減システムとして、インテリジェントタップテーブルを備えたものが提案されている（例えば、特許文献１参照）。このインテリジェントタップテーブルは、電気機器（例えば、テレビ）への電力供給、供給停止を行うスイッチ手段と、このスイッチ手段を制御するための電力制御部を有し、電源オン信号がインテリジェントタップテーブルに入力されると、電力制御部は、この電源オン信号に基づいてスイッチ手段をオン（閉）にし、電源（例えば、屋内電力ライン）からの電力が電気機器に供給される。この待機電力削減システムでは、人感センサにより人がいるか否かを検知し、人がいないことを検知した場合、制御部が人感センサからの検知信号に基づいてオフ制御信号を生成し、生成したオフ制御信号を電気機器及びインテリジェントタップテーブルに送給する。そして、電気機器側においては、このオフ制御信号に基づいて電気機器の電源がオフになる。また、インテリジェントタップテーブル側においては、このオフ制御信号に基づいてスイッチ手段がオフ（開）となり、これによって、電気機器への電力供給が停止し、このように人感センサの検知信号を利用して待機電力の消費を抑えることができる。
【先行技術文献】
【特許文献】
【０００３】
【特許文献１】特開２０１０−２１３３６７号公報
【発明の概要】
【発明が解決しようとする課題】
【０００４】
しかしながら、この公知の待機電力削減システムでは、人がいないことを検知したときに電気機器への電力供給を停止しているが、電気機器への電力供給の開始などについては充分に解決されていなく、更なる改善が望まれる。特に、リモコンで操作する形態の電気機器、例えばテレビ、エアコンなどにおいては、リモコンで電源スイッチ（所謂、オン／オフスイッチ）を操作すると、その作動状態、待機状態及び停止状態により動作内容が異なるように制御する必要があり、このような点などにおいて改善が望まれている。
【０００５】
本発明の目的は、リモコンを入力操作したときの電気機器の状態に応じて所要の通りに制御し、これによって待機電力を削減することができる電気機器の待機電力削減システムを提供することである。
【課題を解決するための手段】
【０００６】
本発明の請求項１に記載の電気機器の待機電力削減システムは、電気機器と、前記電気機器の電力供給系統に配設された電源ユニットと、前記電気機器を入力操作するためのリモコンと、前記電気機器及び前記電源ユニットを制御するための制御コントローラと、前記制御コントローラに設けられた主通信モジュールと、前記リモコンに設けられた第１副通信モジュールとを備えており、
前記制御コントローラには第１赤外線受信手段及び第１赤外線送信手段が設けられ、前記リモコンには第２赤外線送信手段が設けられ、また前記電気機器には第２赤外線受信手段が設けられており、
前記電源ユニットは、前記電力供給系統に流れる電流を検知する電流検知センサと、前記電力供給系統を通しての電力の供給、供給停止を行うためのスイッチ手段とを含んでおり、
前記リモコンの電源スイッチを入力操作すると、前記リモコンからの電源入力信号が前記第１副通信モジュール及び前記主通信モジュールを介して前記制御コントローラに送給されるとともに、前記リモコンからの赤外線電源入力信号が前記第２赤外線送信手段及び前記第１赤外線受信手段を介して前記制御コントローラに送給され、前記制御コントローラは、前記電源入力信号に基づいて前記電流検知センサにより前記電力供給系統に流れる電流を検知し、前記電流検知センサに作動電流が流れているときには待機信号を生成し、前記待機信号に基づいて前記赤外線電源入力信号を前記第１赤外線送信手段を介して前記第２赤外線受信手段に送給して前記電気機器を待機状態にし、前記電流検知センサに待機電流が流れているときには作動信号を生成し、前記作動信号に基づいて前記赤外線電源入力信号を前記第１赤外線送信手段を介して前記第２赤外線受信手段に送給して前記電気機器を作動状態にし、また前記電流検知センサに電流が流れていないときには接続信号を生成し、前記接続信号に基づいて前記スイッチ手段を閉状態にして前記電気機器への電力供給を行うことを特徴とする。
【０００７】
また、本発明の請求項２に記載の電気機器の待機電力削減システムでは、前記電気機器に関連して、人を検知する人感センサが設けられ、前記人感センサに第２副通信モジュールが設けられ、前記人感センサからの検知信号が前記第２副通信モジュール及び前記主通信モジュールを介して前記制御コントローラに送給され、前記制御コントローラは、前記電流検知センサに前記作動電流が流れている状態において前記人感センサにより人を検知しない状態が第１所定時間継続すると赤外線待機信号を生成し、前記赤外線待機信号を前記第１赤外線送信手段を介して前記第２赤外線受信手段に送給して前記電気機器を前記待機状態にし、また前記待機状態になった後前記人感センサにより人を検知しない状態が第２所定時間継続すると接続断信号を生成し、前記接続断信号に基づいて前記電源ユニットの前記スイッチ手段を開状態にして前記電気機器への電力供給を停止することを特徴とする。
【０００８】
また、本発明の請求項３に記載の電気機器の待機電力削減システムでは、前記制御コントローラは、前記電気機器の前記待機状態において所定待機時間継続して前記電源スイッチが入力操作されないときに接続断信号を生成し、前記接続断信号に基づいて前記電源ユニットの前記スイッチ手段を開状態にして前記電気機器への電力供給を停止することを特徴とする。
【０００９】
更に、本発明の請求項４に記載の電気機器の待機電力削減システムでは、前記制御コントローラは、前記電気機器を制御するための第１制御コントローラと、前記電源ユニットを制御するための第２制御コントローラとを含み、前記主通信モジュールは、前記第１制御コントローラに設けられた第１主通信モジュールと、前記第２制御コントローラに設けられた第２主通信モジュールとを含み、前記第１制御コントローラと前記第２制御コントローラとが前記第１主通信モジュール及び前記第２主通信モジュールを介して通信接続されることを特徴とする。
【発明の効果】
【００１０】
本発明の請求項１に記載の電気機器の待機電力削減システムによれば、電気機器の電力供給系統に電源ユニットが配設され、電気機器及び電源ユニットを制御するための制御コントローラに主通信モジュールが設けられ、リモコンに第１副通信モジュールが設けられ、リモコンからの電源入力信号が第１副通信モジュール及び主通信モジュールを介して制御コントローラに送給され、この電源入力信号に基づいて電流検知センサが電力供給系に流れる電流を検知する。そして、電流検知センサに作動電流が流れているときには、制御コントローラは待機信号を生成し、この待機信号に基づいて赤外線電源入力信号が第１赤外線送信手段を介して第２赤外線受信手段に送給されて電気機器が待機状態となり、電流検知センサに待機電流が流れているときには、制御コントローラは作動信号を生成し、この作動信号に基づいて赤外線電源入力信号が第１赤外線送信手段を介して第２赤外線受信手段に送給されて電気機器が作動状態となる。また、電流検知センサに電流が流れていない状態においてリモコンからの電源入力信号が制御コントローラに送給されると、制御コントローラは接続信号を生成し、この接続信号に基づいて電源ユニットのスイッチ手段を閉状態にして電気機器への電力供給を行うので、待機電力を消費していない状態であってもリモコンの電源スイッチを入力操作することによって、電力供給系統を通して電気機器への電力供給を行うことができ、電気機器を所要の通りに作動させることができる。尚、この電気機器は、テレビ、エアコン、照明装置などである。
【００１１】
また、本発明の請求項２に記載の電気機器の待機電力削減システムによれば、電気機器に関連して、人を検知する人感センサが設けられ、制御コントローラは、電流検知センサに作動電流が流れている状態において人感センサによる人を検知しない状態が第１所定時間継続すると赤外線待機信号を生成し、この赤外線待機信号が第１赤外線送信手段を介して第２赤外線受信手段に送給されて電気機器が前記待機状態になる。また、この待機状態になった後人感センサによる人を検知しない状態が第２所定時間継続すると、制御コントローラは接続断信号を生成し、この接続断信号に基づいて電源ユニットのスイッチ手段を開状態にするので、スイッチ手段の開状態においては電力供給系統を通して電気機器に電力が全く供給されず、従って、待機電力が消費されることはなく、待機電力の削減を図って省エネを達成することができる。
【００１２】
また、本発明の請求項３に記載の電気機器の待機電力削減システムによれば、制御コントローラは、電気機器の待機状態において所定待機時間継続して電源スイッチを入力操作しないときに接続断信号を生成し、この接続断信号に基づいて電源ユニットのスイッチ手段を開状態にするので、このときにおいても電力供給系統を通しての電気機器への電力供給が行われず、待機電力の一層の削減を図ることができる。
【００１３】
更に、本発明の請求項４に記載の電気機器の待機電力削減システムによれば、制御コントローラは、電気機器を制御するための第１制御コントローラと、電源ユニットを制御するための第２制御コントローラとを含み、主通信モジュールは、第１制御コントローラに設けられた第１主通信モジュールと、第２制御コントローラに設けられた第２主通信モジュールとを含んでいるので、第１制御コントローラと第２制御コントローラとを別の場所に設置することができ、第２制御コントローラを例えば電源コンセントの近くに設置することが可能となる。
【図面の簡単な説明】
【００１４】
【図１】本発明に従う電気機器の待機電力削減システムの第１の実施形態の全体を示す簡略図。
【図２】図１の待機電力削減システムの制御系を示すブロック図。
【図３】図２の制御系において、リモコンの電源スイッチを操作したときの制御の流れを示すフローチャート。
【図４】本発明に従う電気機器の待機電力削減システムの第２の実施形態の全体を示す簡略図。
【図５】図４の待機電力削減システムの制御系を示すブロック図。
【図６】図５の制御系において、電気機器が作動状態のときに人感センサによる人の検知がなくなったときの制御の流れを示すフローチャート。
【図７】図５の制御系において、電気機器が待機状態のときに人感センサによる人の検知がなくなったときの制御の流れを示すフローチャート。
【発明を実施するための形態】
【００１５】
次に、添付図面を参照して、本発明に従う電気機器の待機電力削減システムの実施形態について説明する。まず、図１〜図３を参照して第１の実施形態の待機電力削減システムを説明すると、図示の待機電力削減システムは、電気機器２（この形態では、例えばテレビ）と、この電気機器２を作動制御するために入力操作するリモコン４と、電気機器２への電力供給系統６に配設された電源ユニット８とを備え、この形態では、電源ユニット８は、家庭用のコンセント１０に接続される接続プラグ１２と電気機器２との間を接続する電源コード１４に配設されている。
【００１６】
電気機器２は電源スイッチ１５を備え、この電源スイッチ１５をオン（閉状態）にすると、電源コード１４を通して電気機器２に電力が供給され、この電源スイッチ１５をオフ（開状態）にすると、電気機器２への電力供給が停止し、この電気機器２は非作動状態となる。電気機器２には、赤外線信号を受信する赤外線受信手段１６（第２赤外線受信手段を構成する）が設けられている。
【００１７】
また、リモコン４（この形態では、例えばテレビのリモコン）は、電源スイッチ１８、チャンネルスイッチ２０、音声スイッチ２２などを備えている。電源スイッチ１８は、電気機器２を作動状態（例えばテレビの場合、画像及び音声が出力される状態）及び待機状態（例えばテレビの場合、画像及び音声が出力されず、リモコン４からの入力信号を受信する状態）にするためのものであり、電気機器２が作動状態にあるときに電源スイッチ１８を押圧すると、電気機器２が待機状態となり（例えばテレビの場合、画像及び音声が消えて待機状態となり）、また電気機器２が待機状態にあるときに電源スイッチ１８を押圧すると、電気機器が作動状態となる（例えばテレビの場合、画像及び音声が出力されて作動状態となる）。チャンネル選択スイッチ２０は、チャンネルを選択するためのもで、このチャンネル選択スイッチ２０を入力操作して所望のチャンネルを選択することができる。また、音声スイッチ２２は、アップスイッチ２４及びダウンスイッチ２６を含み、アップスイッチ２４を入力操作することによって、音声出力を大きくすることができ、ダウンスイッチ２６を入力操作することによって、音声出力を小さくすることができる。このリモコン４には、赤外線信号を送信するための赤外線送信手段２７（第２赤外線送信手段を構成する）が設けられている。
【００１８】
また、電源ユニット８は、電流検知センサ２８及びリレー手段３０を有している。電流検知センサ２８は、電源コード１４を流れる電流（即ち、電気機器２に流れる電流）を検知する。電気機器２が作動状態のときには、電源コード１４に作動電流が流れ、その待機状態のときには、電源コード１４に待機電流が流れ、この待機電流は作動電流よりも小さく（待機電流＜作動電流）、またその非作動状態のときには、電源コード１４に電流が流れることはない。リレー手段３０は、電気供給系統６を開閉するためのスイッチ手段を構成し、閉状態のときには、電気供給系統６が電気的に接続されて電流が電気機器２に流れ、また開状態のときには、電気供給系統６が電気的に開放されて電気機器２への電流供給が遮断される。
【００１９】
この実施形態では、更に、電気機器２（例えばテレビ）を制御するための第１制御コントローラ３２が設けられているとともに、電源ユニット８を制御するための第２制御コントローラ３４が設けられている。第１制御コントローラ３２は、信号伝送手段３６、状態判別手段３８及び作動制御信号生成手段４０を含んでいる。信号伝送手段３６は、後述する如くして赤外線信号を伝送し、状態判別手段３８は、電源ユニット８の電流検知センサ２８の検知信号に基づいて電気機器２の状態を判別し、作動電流が流れているときには電気機器２が作動状態であると判別し、待機電流が流れているときには電気機器２が待機状態であると判別し、また電流が全く流れていないときには電気機器２が非作動状態と判別する。また、作動制御信号生成手段４０は、後述する如くして作動信号、待機信号又は非作動信号などを生成する。
【００２０】
第１制御コントローラ３２は、更に、タイマ手段４２及びメモリ手段４４を含んでいる。タイマ手段４２は、後述する各種所定時間を計時する。また、メモリ手段４４は、状態判別手段３８の判別状態と作動制御信号生成手段４０にて生成される制御信号（作動信号、待機信号及び非作動信号）との関係が制御マップとして登録されている。
【００２１】
この形態では、第１制御コントローラ３２に赤外線送信手段４６（第１赤外線送信手段を構成する）及び赤外線受信手段４８（第１赤外線受信手段を構成する）が設けられている。第１赤外線送信手段４６は、電気機器２の第２赤外線受信手段１６に向けて赤外線信号を送給し、第１赤外線受信手段４８は、リモコン４の第２赤外線送信手段２７からの赤外線信号を受信する。
【００２２】
また、第２制御コントローラ３４は、接続信号を生成する接続信号生成手段４５及び接続断信号を生成する接続断信号生成手段４７を含んでいる。この接続信号がリレー手段３０に送給されると、リレー手段３０が閉状態となり、電力供給系統６を通して電力が電気機器２に送給される。また、接続断信号がリレー手段３０に送給されると、リレー手段３０が開状態となり、電力供給系統６を通しての電力の供給が停止する。
【００２３】
第１制御コントローラ３２、第２制御コントローラ３４及びリモコン４には、更に、各種信号を通信する（即ち、送受信する）ための通信モジュールが設けられている。第１制御コントローラ３２には、第１主通信モジュール５０が設けられ、第２制御コントローラ３４には、第１主通信モジュール５０との間で通信を行う第２主通信モジュール５２が設けられ、またリモコン４には、第１主通信モジュール５０との間で通信を行う副通信モジュール５４（第１副通信モジュールを構成する）が設けられている。第１及び第２主通信モジュール５０，５２並びに副通信モジュール５４は、例えば、それ自体公知の無線ネットワークモジュールを用いることができる。
【００２４】
次に、主として図２とともに図３を参照して、リモコン４の電源スイッチ１８を入力操作したときの制御について説明する。リモコン４の電源スイッチ１８を入力操作すると、ステップＳ１に進み、このリモコン４からの入力信号（即ち、電源入力信号）が副通信モジュール５４及び第１主通信モジュール５０を介して第１制御コントローラ３２に送給され、更に第１主通信モジュール５０及び第２主通信モジュール５２を介して第２制御コントローラ３４に送給される。また、この入力信号（赤外線電源入力信号）が第２赤外線送信手段２７及び第１赤外線受信手段４８を介して第１制御コントローラ３２に送給される。
【００２５】
このように電源入力信号が第２制御コントローラ３４に送給されると、第２制御コントローラ３４からの信号に基づいて電源ユニット２８の電流検知センサ２８が電力供給系統６（具体的には、電源コード１４）を流れる電流を検知し（ステッＳ２）、電流検知センサ２８の検知信号が第２制御コントローラ３４、第２主通信モジュール５２及び第１主通信モジュール５０を介して第１制御コントローラ３２に送給される。
【００２６】
このように電流検知センサ２８からの検知信号が送給されると、第１制御コントローラ３２の状態判別手段３８は、電気機器２（例えば、テレビ）の状態を判別する（ステップＳ３）。即ち、電流検知センサ２８が作動電流を検知すると、この状態判別手段３８は、電気機器２が作動状態と判別し、また待機電流（又は電流が零（ゼロ）である非作動電流）を検知すると、状態判別手段３８は、電気機器２が待機状態（又は非作動状態）と判別する。
【００２７】
電気機器２が作動状態であると判別すると、ステップＳ４からステップＳ５に進み、電気機器２の待機動作が遂行される。即ち、作動制御信号生成手段４０は待機信号を生成し（ステップＳ６）、この待機信号に基づいて、信号伝送手段３６がリモコン４から受信した入力信号（赤外線電源入力信号）を第１赤外線送信手段４６及び第２赤外線受信手段１６を介して電気機器２に送給し、この送給された赤外線電源入力信号に基づいて電気機器２が待機状態となる（ステップＳ７）。
【００２８】
そして、この待機状態になって所定時間経過する（例えば、５〜２０分程度に設定され、タイマ手段４２がこの所定時間を計時する）と、ステップＳ８からステップＳ９に進み、第１制御コントローラ３２の作動制御信号生成手段４０は作動停止信号を生成し（ステップＳ９）、この作動停止信号が第１主通信モジュール５０及び第２主通信モジュール５２を介して第２制御コントローラ３４に送給される。かくすると、第２制御コントローラ３４の接続断信号生成手段４７は、この作動停止信号に基づいて接続断信号を生成し（ステップＳ１０）、この接続断信号に基づいてリレー手段３０が開状態となり、これによって、電力供給系統６を通しての電気機器２への電力の供給が停止し（ステップＳ１１）、電気機器２が非作動状態となる。このように、電気機器２の待機状態が所定時間継続して維持された後は非作動状態となって電力消費が零（ゼロ）となるので、待機電力を削減して省エネを図ることができる。
【００２９】
また、電気機器２が待機状態であると判別されると、ステップＳ４からステップＳ１３を経てステップＳ１４に移り、電気機器２の作動動作が遂行される。尚、ステップＳ７の待機状態においてリモコン４の電源スイッチ１８を入力操作すると、ステップＳ８、ステップＳ１２、ステップＳ２、ステップＳ３、ステップＳ４及びステップ１３を経てステップＳ１４に移る。このときには、作動制御信号生成手段４０は作動信号を生成し（ステップＳ１５）、この作動信号に基づいて、信号伝送手段３６がリモコン４から受信した入力信号（赤外線電源入力信号）を第１赤外線送信手段４６及び第２赤外線受信手段１６を介して電気機器２に送給し、この送給された入力信号に基づいて電気機器２が作動状態となる（ステップＳ１６）。
【００３０】
また、電気機器２が非作動状態であると判別されると、ステップＳ４からステップＳ１３を経てステップＳ１７に移り、電気機器２の作動動作が遂行される。即ち、作動制御信号生成手段４０は作動信号を生成し（ステップＳ１７）、この作動信号が第１主通信モジュール５０及び第２主通信モジュール５２を介して第２制御コントローラ３４に送給される。かくすると、第２制御コントローラ３４の接続信号生成手段４５は、この作動信号に基づいて接続信号を生成し（ステップＳ１９）、この接続信号に基づいてリレー手段３０が閉状態となり、これによって、電力供給系統６を通しての電気機器２への電力の供給が行われる（ステップＳ２０）。
【００３１】
また、このときには、作動制御信号生成手段４０は赤外線待機信号を生成し（ステップＳ２１）、生成された赤外線待機信号が、第１赤外線送信手段４６及び第２赤外線受信手段１６を介して電気機器２に送給され、電気機器２が待機状態となる（ステップＳ２２）。続いて、作動制御信号生成手段４０は赤外線作動信号を生成し（ステップＳ２３）、生成された赤外線作動信号が第１赤外線送信手段４６及び第２赤外線受信手段１６を介して電気機器２に送給され、この赤外線作動信号に基づいて電気機器２が作動状態となる（Ｓ１６）。このように電気機器２への電力供給が停止された状態においてリモコン４の電源スイッチ１８を入力操作すると、電気機器２への電力供給が行われ、更に電気機器２が待機状態になった後に自動的に作動状態となるので、電力供給停止状態であってもリモコン４を単に入力操作することによって、電気機器２を所要の通りに作動状態にすることができる。
【００３２】
この実施形態では、電力供給停止状態においてリモコン４の電源スイッチ１８を入力操作すると、電気機器２を待機状態にした後に自動的に作動状態となるように構成しているが、このような構成に代えて、この電源スイッチ１８を入力操作すると、電気機器２を待機状態にし、その後電源スイッチ１８を再度入力操作すると、このリモコン４からの入力信号（赤外線電源入力信号）に基づいて、電気機器２を上述したようにして作動状態にするようにしてもよい。
【００３３】
次いで、図４〜図７を参照して、第２の実施形態の待機電力削減システムについて説明する。この第２の実施形態においては、人を検知する人感センサ及びそれに関連する構成が付加されている。尚、この実施形態において、第１の実施形態と実質上同一の部材には同一の参照番号付し、その説明を省略する。
【００３４】
図４及び図５において、この第２の形態では、電気機器２に関連して人感センサ１０２が設けられ、この人感センサ１０２は、電気機器２と一体的となるように取り付けてもよく、或いは電気機器２を設置した部屋に取り付けるようにしてもよい。人感センサ１０２には、第２副通信モジュール１０４が設けられており、人感センサ１０２からの検知信号が第２副通信モジュール１０４及び第１主通信モジュール５０を介して第１制御コントローラ３２Ａに送給される。
【００３５】
人感センサ１０２を設けたことに関連して、第１制御コントローラ３２Ａは、更に、人存在判別手段１０６を含んでいる。この人存在判別手段１０６は、人感センサ１０２が人を検知したときにはその検知信号に基づいて人がいると判定し、人感センサ１０２が人を検知しないときにはその検知信号に基づいて人がいないと判定する。この第２の実施形態のその他の構成は、上述した第１の実施形態と実質上同一である。
【００３６】
この第２の実施形態において、電気機器２の作動状態における制御は、次の通りである。図５とともに図６を参照して、電気機器２の作動状態においては、人感センサ１０２による人検知が行われ（ステップＳ３１）、人感センサ１０２からの検知信号が第２副通信モジュール１０４及び第１主通信モジュール５０を介して第１制御コントローラ３２Ａに送給される。
【００３７】
このように人感センサ１０２からの検知信号が送給されると、第１制御コントローラ３２Ａの人存在判定手段１０６が、人がいるか否かの判定を行い、人がいると判定したときには、ステップＳ３２を経てステップＳ３３に進み、省エネ動作を行う必要がないとして電気機器２の作動状態が継続して行われる。そして、このような作動状態においてリモコン４の電源スイッチ１８を入力操作すると、ステップＳ３４からリモコン４の電源スイッチ１８操作ルーチンに移り、このルーチンにおいては、例えば、図３に示した動作が上述した通りに遂行される。
【００３８】
また、人存在判定手段１０６が、人がいないと判定すると、ステップＳ３２からステップＳ３５に移り、人がいない状態が第１所定時間継続する（例えば、１０〜２０分程度に設定され、タイマ手段４２がこの第１所定時間を計時をする）と、作動制御信号生成手段４０が赤外線待機信号を生成する（ステップＳ３６）。かくすると、この赤外線待機信号が、第１赤外線送信手段４６及び第２赤外線受信手段１６を介して電気機器２に送給され、電気機器２はこの赤外線待機信号に基づいて待機状態となる（ステップＳ３７）。
【００３９】
そして、この待機状態においても人感センサ１０２は人の検知を行い（ステップＳ３８）、人感センサ１０２が人を検知しない状態が第２所定時間継続する（例えば、５〜２０分程度に設定され、タイマ手段４２がこの第２所定時間を計時する）と、ステップＳ３９からステップＳ４０を経てステップＳ４１に進み、第１制御コントローラ３２Ａの作動制御信号生成手段４０は作動停止信号を生成し（ステップＳ４１）、この作動停止信号が第１主通信モジュール５０及び第２主通信モジュール５２を介して第２制御コントローラ３４に送給される。かくすると、第２制御コントローラ３４の接続断信号生成手段４７は、この作動停止信号に基づいて接続断信号を生成し（ステップＳ４２）、この接続断信号に基づいてリレー手段３０が開状態となり、これによって、電力供給系統６を通しての電気機器２への電力の供給が停止する（ステップＳ４３）。このように、人がいない状態が第１所定時間継続すると、電気機器２が待機状態となり、更にこの待機状態において人のいない状態が第２所定時間継続すると、電力の供給が停止して電気機器２が非作動状態となるので、上述したと同様に待機電力を削減することができる。
【００４０】
また、電気機器２の待機状態において人感センサ１０２が人を検知すると、ステップＳ３９からステップＳ４４に移り、このように人を検知するが、リモコン４の電源スイッチ１８を入力操作しない状態が第３所定時間継続する（例えば、５〜２０分程度に設定され、タイマ手段４２がこの第３所定時間を計時する）と、ステップＳ４４からステップＳ４５を経てステップＳ４１に移り、ステップＳ２及びステップＳ４３が実行されて電気機器２への電力の供給が停止する。尚、この待機状態においてリモコン４の電源スイッチ１８を入力操作すると、ステップＳ４４からリモコンの電源スイッチ１８操作のルーチンに移り、このルーチンにおいては、例えば、図３に示す通りの動作が実行される。
【００４１】
この第２の実施形態において、電気機器２の待機状態における制御は、次の通りである。図５とともに図７を参照して、電気機器２の待機状態においては、人感センサ１０２による人検知が行われ（ステップＳ５１）、この人感センサ１０２の検知信号に基づくステップＳ５２〜ステップＳ５８の制御が行われるが、かかる検知信号に基づく制御（ステップＳ５２〜ステップＳ５８の制御）は、図６のフローチャートにおけるステップＳ３９〜ステップＳ４５の制御と実質上同一であり、従って、その制御についての説明を省略する。
【００４２】
以上、本発明に従う電気機器の待機電力削減システムの実施形態について説明したが、本発明はこれら実施形態に限定されるものではなく、本発明の範囲を逸脱することなく種々の修正乃至変更が可能である。
【００４３】
例えば、上述した実施形態では、第１制御コントローラ３２及び第２制御コントローラ３４と二つの制御コントローラを設けているが、これら制御コントローラを一つにすることもでき、この場合、制御コントローラに一つの主通信モジュールを設けるようにすればよい。
【符号の説明】
【００４４】
２  電気機器
４  リモコン
６  電力供給系統
８  電源ユニット
１４  電源コード
１６，４８  赤外線受信手段
１８  電源スイッチ
２７，４６  赤外線送信手段
２８  電流検知センサ
３０  リレー手段（スイッチ手段）
３２，３２Ａ，３４  制御コントローラ
３８  状態判別手段
４０  作動制御信号生成手段
５０，５２  主通信モジュール
５４，１０４  副通信モジュール
１０２  人感センサ
１０６  人存在判定手段
【図１】
0005894400.tif 000002
【図２】
0005894400.tif 000003
【図３】
0005894400.tif 000004
【図４】
0005894400.tif 000005
【図５】
0005894400.tif 000006
【図６】
0005894400.tif 000007
【図７】
0005894400.tif 000008